(57)【要約】【課題】低コストかつ高回収率で可塑剤を回収することができる可塑剤回収システムおよび可塑剤回収方法を提供する。【解決手段】第１冷却コイル２７が気化した可塑剤を含む空気と、可塑剤を遠心分離した後の空気とを循環熱媒体を介して熱交換する。第２冷却コイル２９が第１冷却コイル２７を経た空気を、冷凍機により冷却された冷媒を介して冷却する。遠心分離機３１が第２冷却コイル２９でで冷却された空気から、凝縮した可塑剤を遠心分離する。ケーシング１１が第１冷却コイル２７および第２冷却コイル２９で凝縮した可塑剤および遠心分離機３１で分離した可塑剤を受ける。【選択図】図１
2010017640.tif 000002
【特許請求の範囲】
【請求項１】
気化した可塑剤を含む空気から可塑剤を回収するための可塑剤回収システムであって、
前記可塑剤を凝縮させるよう前記空気を冷却する冷却部と、
前記冷却部で冷却された前記空気から、凝縮した前記可塑剤を遠心分離する遠心分離機と、
前記冷却部で凝縮した可塑剤および前記遠心分離機で分離した可塑剤を受ける回収手段とを、
有することを特徴とする可塑剤回収システム。
【請求項２】
前記冷却部は前記空気の上流側から下流側に向かって第１冷却部と第２冷却部とを有し、
前記第１冷却部は、ランアラウンド回路の一部を構成し、
前記ランアラウンド回路は、気化した可塑剤を含む空気と冷えた循環熱媒体とを熱交換する前記第１冷却部と、前記可塑剤を遠心分離した後の空気と温まった前記循環熱媒体とを熱交換する加温コイルと、前記第１冷却部と前記加温コイルとを連結して成り前記循環熱媒体が循環するよう設けられた循環路を有する循環手段とを有し、
前記第２冷却部は前記第１冷却部を経た空気を冷凍機により冷却する構成を有することを、
特徴とする請求項１記載の可塑剤回収システム。
【請求項３】
気化した可塑剤を含む空気の流路を形成するとともに前記回収手段を構成するケーシングを有し、前記ケーシングは、複数の筒体を下流側の筒体の上流端部が上流側の筒体の下流端部の外面に重なるよう接続して構成され、前記冷却部と前記遠心分離機とを内部に収納し前記冷却部の下流に前記遠心分離機を配置していることを、
特徴とする請求項１または２記載の可塑剤回収システム。
【請求項４】
前記第１冷却部の下流および前記第２冷却部の下流に各冷却部の輻射により冷却され各冷却部を経た空気を受ける金属製フィルタを有することを、
特徴とする請求項２または３記載の可塑剤回収システム。
【請求項５】
前記可塑剤がフタル酸ブチルベンジルであることを、特徴とする請求項１、２、３または４記載の可塑剤回収システム。
【請求項６】
気化した可塑剤を含む空気から可塑剤を回収するための可塑剤回収方法であって、
前記可塑剤を凝縮させるよう前記空気を冷却する冷却工程と、
前記冷却工程で冷却された前記空気から、凝縮した前記可塑剤を遠心分離する遠心分離工程と、
前記冷却工程で凝縮した可塑剤および前記遠心分離工程で分離した可塑剤を受ける回収工程とを、
有することを特徴とする可塑剤回収方法。
【請求項７】
前記冷却工程が、気化した可塑剤を含む空気と、可塑剤を遠心分離した後の空気とを循環熱媒体を介して熱交換して熱回収する第１冷却工程と、前記第１冷却工程後の空気を冷却する第２冷却工程とを有することを、
特徴とする請求項６記載の可塑剤回収方法。
【請求項８】
前記可塑剤がフタル酸ブチルベンジルであることを、特徴とする請求項６または７記載の可塑剤回収方法。
【発明の詳細な説明】
【技術分野】
【０００１】
本発明は、フタル酸ブチルベンジルなどの可塑剤を回収するための可塑剤回収システムおよび可塑剤回収方法に関する。
【背景技術】
【０００２】
従来、マイクロチップコンデンサ等の薄膜の積層セラミック電子部品を製造するときのカレンダー加工工程で、フタル酸ブチルベンジル（ＢＢＰ）などの可塑剤が多量に使用されている（例えば、非特許文献１、特許文献１または２参照）。この可塑剤は、その後の印刷乾燥工程等で発散し、他の排出ガスとともに工場等から排出されている。
【０００３】
例えば、可塑剤のフタル酸ブチルベンジルは、プラスチックやシリコンなどの合成樹脂を溶かす性質があり、排気系統のパッキンなどを侵すおそれがある。また、工場等から排出された後に、河川や土壌を汚染するおそれもある。この対策として、触媒等を利用した蓄熱燃焼装置で排気中の可塑剤を燃焼させる方法が提案されている（例えば、特許文献３参照）。この方法によれば、排気ガスに含まれる可塑剤の濃度をほぼゼロにすることができる。
【０００４】
なお、可塑剤を含むガスから可塑剤を回収する方法として、ガスを冷却して可塑剤を凝縮させて回収するものがある（例えば、特許文献４または５参照）。また、空気中のオイルミスト等を回収する装置として、遠心ファンやフィルタにより、空気とオイルミスト等とを分離してオイルミスト等を回収するものがある（例えば、特許文献６乃至１０参照）。
【０００５】
【非特許文献１】沖山聰明編著、「プラスチックフィルム−加工と応用−」、第二版、技報堂出版株式会社、1995年4月5日、p.70-74
【特許文献１】特開２００６−３１０７６４号公報
【特許文献２】特開２００３−２２４０３０号公報
【特許文献３】特開２００５−１４０４１７号公報
【特許文献４】特開２００５−７９４号公報
【特許文献５】特許第４００４２８２号公報
【特許文献６】特開平７−６８１１５号公報
【特許文献７】特開２００１−２９３３９４号公報
【特許文献８】特開２０００−１１７０２８号公報
【特許文献９】特開平７−２８９８３２号公報
【特許文献１０】特開平１０−１９２６２８号公報
【発明の開示】
【発明が解決しようとする課題】
【０００６】
しかしながら、特許文献３に記載のような蓄熱燃焼装置で可塑剤を燃焼させる方法では、燃焼装置の製造費や運転費などのコストが嵩むという課題があった。また、可塑剤を燃焼させるため、可塑剤を回収することができないという課題もあった。特許文献４および５に記載の可塑剤を凝縮させて回収する方法では、可塑剤を十分に回収することができず、無害化するためには回収率をさらに高める必要があるという課題があった。また、特許文献６乃至１０に記載の遠心ファンやフィルタにより分離する装置を可塑剤に適用しても、無害化できる程度の可塑剤の回収率は見込めないという課題があった。
【０００７】
本発明は、このような課題に着目してなされたもので、低コストかつ高回収率で可塑剤を回収することができる可塑剤回収システムおよび可塑剤回収方法を提供することを目的としている。
【課題を解決するための手段】
【０００８】
上記目的を達成するために、本発明に係る可塑剤回収システムは、気化した可塑剤を含む空気から可塑剤を回収するための可塑剤回収システムであって、前記可塑剤を凝縮させるよう前記空気を冷却する冷却部と、前記冷却部で冷却された前記空気から、凝縮した前記可塑剤を遠心分離する遠心分離機と、前記冷却部で凝縮した可塑剤および前記遠心分離機で分離した可塑剤を受ける回収手段とを、有することを特徴とする。
【０００９】
本発明に係る可塑剤回収方法は、気化した可塑剤を含む空気から可塑剤を回収するための可塑剤回収方法であって、前記可塑剤を凝縮させるよう前記空気を冷却する冷却工程と、前記冷却工程で冷却された前記空気から、凝縮した前記可塑剤を遠心分離する遠心分離工程と、前記冷却工程で凝縮した可塑剤および前記遠心分離工程で分離した可塑剤を受ける回収工程とを、有することを特徴とする。
【００１０】
本発明に係る可塑剤回収システムおよび可塑剤回収方法では、可塑剤を含む空気を冷却することにより、飽和蒸気圧を低下させて可塑剤の凝縮を促進することができる。凝縮した可塑剤を含む空気を遠心分離することにより、その空気から凝縮した可塑剤を分離することができる。分離された可塑剤を回収することにより再利用することができる。
【００１１】
可塑剤の沸点は高温であり、常温近傍で冷却させることができるため、燃焼装置を使用して燃焼させるのに比べ、装置の製造コストや運転コストを抑えることができ、低コストである。また、遠心分離に、ターボファンなどの市販の安価な装置を利用することにより、コストをより低減することができる。温度が低いほど飽和蒸気圧が下がるため、可塑剤を含む空気をできるだけ低温に冷却することにより、可塑剤の回収率を高めることができる。可塑剤を回収することにより、排気の清浄度を高めることができ、排気系統の破損や、河川や土壌の汚染等を防止することができる。
【００１２】
可塑剤は、いかなる種類のものであってもよいが、例えば、フタル酸ブチルベンジル（ＢＢＰ）、ジオクチルフタレート（ＤＯＰ）、ジブチルフタレート（ＤＢＰ）、パラプレックスＧ−２５、Ｇ−５０、トリクレジルホスフェート（ＴＣＰ）、ブチルフタリルブチルグリコレート（ＢＰＢＧ）などである。また、本発明において、「空気」は、常温で気体をなし、気化した可塑剤を含む気体であり、通常の空気と成分が異なっていてもよい。
【００１３】
本発明に係る可塑剤回収システムで、前記冷却部は前記空気の上流側から下流側に向かって第１冷却部と第２冷却部とを有し、前記第１冷却部は、ランアラウンド回路の一部を構成し、前記ランアラウンド回路は、気化した可塑剤を含む空気と冷えた循環熱媒体とを熱交換する前記第１冷却部と、前記可塑剤を遠心分離した後の空気と温まった前記循環熱媒体とを熱交換する加温コイルと、前記第１冷却部と前記加温コイルとを連結して成り前記循環熱媒体が循環するよう設けられた循環路を有する循環手段とを有し、前記第２冷却部は前記第１冷却部を経た空気を冷凍機により冷却する構成を有することが好ましい。冷凍機は、第１冷却部を経た空気を冷媒を介して冷却することが好ましい。
本発明に係る可塑剤回収方法で、前記冷却工程が、気化した可塑剤を含む空気と、可塑剤を遠心分離した後の空気とを循環熱媒体を介して熱交換して熱回収する第１冷却工程と、前記第１冷却工程後の空気を冷却する第２冷却工程とを有することが好ましい。
この２段階で冷却する可塑剤回収システムおよび可塑剤回収方法では、高温の気化した可塑剤を含む空気を、冷凍機で冷凍する媒体を用いて冷却する際に、熱回収を行うことで熱効率を高めることができ、運転コストをより低減することができる。なお、媒体は、水などの液体であっても気体であってもよい。
【００１４】
本発明に係る可塑剤回収システムは、気化した可塑剤を含む空気の流路を形成するとともに前記回収手段を構成するケーシングを有し、前記ケーシングは、複数の筒体を下流側の筒体の上流端部が上流側の筒体の下流端部の外面に重なるよう接続して構成され、前記冷却部と前記遠心分離機とを内部に収納し前記冷却部の下流に前記遠心分離機を配置していることが好ましい。
この構成では、ケーシングの各構成部材の連結部で、ケーシングの下流側の筒体と上流側の筒体との間の空気漏れを防ぐパッキング剤やコーキング材に、凝縮して液化した可塑剤を触れにくくすることができるため、空気をケーシングの外部に漏れにくくすることができる。
【００１５】
本発明に係る可塑剤回収システムでは、前記第１冷却部の下流および前記第２冷却部の下流に各冷却部の輻射により冷却され各冷却部を経た空気を受ける金属製フィルタを有することが好ましい。
この構成では、各金属製フィルタが第１冷却部および第２冷却部の輻射により冷却されるので、通過する空気の冷却効率をより高めることができる。また、金属製フィルタに凝縮した可塑剤が遮り効果で分離付着するため、可塑剤の回収率をより高めることができる。
【００１６】
本発明に係る可塑剤回収システムおよび可塑剤回収法方法は、可塑剤がフタル酸ブチルベンジル（Butyl benzyl phthalate；ＢＢＰ）のとき、特に回収を効果的に行うことができる。フタル酸ブチルベンジルの沸点は３７０℃と高温であり、常温近傍で冷却させることができるため、燃焼装置を使用して燃焼させるのに比べ、低コストで回収することができる。
【発明の効果】
【００１７】
本発明によれば、低コストかつ高回収率で可塑剤を回収することができる可塑剤回収システムおよび可塑剤回収方法を提供することができる。
【発明を実施するための最良の形態】
【００１８】
以下、図面に基づき、本発明の実施の形態について説明する。
図１は、本発明の実施の形態の可塑剤回収システムおよび可塑剤回収方法を示している。
図１に示すように、可塑剤回収システム１０は、気化した可塑剤を含む空気から可塑剤を回収するための可塑剤回収システムである。可塑剤は、フタル酸ブチルベンジルである。可塑剤回収システム１０は、ケーシング１１と冷却部１２と遠心分離機１３と第１フィルタ１４と加温コイル１５と第２フィルタ１６と循環手段１７と冷却手段１８と温度計１９とを有している。
【００１９】
図１に示すように、ケーシング１１は、可塑剤を含む空気が内部を通過するよう設けられている。ケーシング１１は、空気が送られる上流から下流に向かって順に、筒状の供給管２１と冷却部筒体２２と分離部筒体２３と加温部筒体２４と排気管２５とを有し、この順に連結されている。ケーシング１１は、供給管２１から内部に供給された空気が、冷却部筒体２２、分離部筒体２３、加温部筒体２４の内部を通って、排気管２５から排気されるようになっている。ケーシング１１は、冷却部１２で凝縮した可塑剤および遠心分離機１３で分離した可塑剤を受ける回収手段を兼ねている。ケーシング１１は、分離された可塑剤を回収するための複数の回収孔２６を有する。なお、冷却部筒体２２は、さらに小さい部材に分割されている。図１に示すように、ケーシング１１の各構成部材は、下流側の筒体の上流端部が上流側の筒体の下流端部の外面に重なるよう接続してある。各構成部材は、下流側の筒体の上流端部が上流側の筒体の下流端部の外面に重なるところの２重部分の隙間に、パッキング剤やコーキング材を充填することにより気密性を保つよう連結されている。
【００２０】
図１に示すように、冷却部１２は、ケーシング１１の冷却部筒体２２の内部に収納されており、第１冷却コイル（第１冷却部）２７と第１金属製フィルタ２８と第２冷却コイル（第２冷却部）２９と第２金属製フィルタ３０とを有している。第１冷却コイル２７は、供給管２１から供給された空気が、フィンで連結されたチューブ外側のコイル額縁内を通過するよう設けられている。第１冷却コイル２７は、フィンで連結されたチューブ外側のコイル額縁内を通過する空気を循環手段１７により冷却して、可塑剤を凝縮させるようになっている。第１金属製フィルタ２８は、アルミウール製の濾材と皿状の金属枠とから成り、第１冷却コイル２７を通過した空気をアルミウール製の濾材を通過させつつ皿状の金属枠に衝突させて皿からあふれるように流すよう、第１冷却コイル２７の直下流に設けられている。第１金属製フィルタ２８は、第１冷却コイル２７および第２冷却コイル２９の輻射により冷却され、第１冷却コイル２７を経た空気を受ける。第１金属製フィルタ２８には、凝縮した可塑剤が遮り効果で分離付着するようになっている。
【００２１】
第２冷却コイル２９は、第１金属製フィルタ２８をあふれて流出した空気が、フィンで連結されたチューブ外側のコイル額縁内を通過するよう、第１金属製フィルタ２８の直下流に設けられている。第２冷却コイル２９は、フィンで連結されたチューブ外側のコイル額縁内を通過する空気を冷却手段１８によりさらに冷却して、可塑剤をさらに凝縮させるようになっている。第２金属製フィルタ３０は、アルミウール製の濾材と皿状の金属枠とから成り、第２冷却コイル２９を通過した空気をアルミウール製の濾材を通過させつつ皿状の金属枠に衝突させて皿からあふれるように流すよう、第２冷却コイル２９の直下流に設けられている。第２金属製フィルタ３０は、第２冷却コイル２９の輻射により冷却され、第２冷却コイル２９を経た空気を受ける。第２金属製フィルタ３０は、凝縮した可塑剤が遮り効果で分離付着するようになっている。
【００２２】
図１に示すように、遠心分離機１３は、ターボファン３１と分離遮り板３２とを有している。ターボファン３１は、片吸込型であり、冷却部筒体２２の内部の下流側端部に収納されている。ターボファン３１は、冷却部１２で冷却された空気を吸い込んで回転させ、凝縮した可塑剤を遠心分離して、ケーシング１１の分離部筒体２３の内部に吹き出すよう構成されている。分離遮り板３２は、分離部筒体２３の内部の、ターボファン３１からの吹き出しが当たる位置に設けられ、ターボファン３１で遠心分離された可塑剤が遮り効果で分離付着するようになっている。これにより、遠心分離機１３は、空気中の可塑剤と空気とを分離することができる。また、遠心分離機１３は、ターボファン３１のインペラにより加速された空気に同伴された凝縮した可塑剤を、ターボファン３１のケース内部に衝突させて分離し、ターボファン３１の吸込口から冷却部筒体２２の下流側端部へ落下させるようになっている。
【００２３】
第１フィルタ１４は、アルミフィルタから成り、ケーシング１１の加温部筒体２４の内部の上流部に設けられている。第１フィルタ１４は、遠心分離機１３で可塑剤を遠心分離した後の空気を通過させるようになっている。第１フィルタ１４は、空気中に残存する凝縮した可塑剤が付着するようになっている。
【００２４】
加温コイル１５は、第１フィルタ１４を通過した空気が、フィンで連結されたチューブ外側のコイル額縁内を通過するよう、加温部筒体２４の内部の第１フィルタ１４の下流に設けられている。
第２フィルタ１６は、バグフィルタから成り、加温コイル１５で加温された空気を通過させるよう、加温部筒体２４の内部の加温コイル１５の下流に設けられている。第２フィルタ１６は、空気中に残存する凝縮した可塑剤を付着するようになっている。
【００２５】
図１に示すように、循環手段１７は、冷却部１２の第１冷却コイル２７のチューブと加温コイル１５のチューブとを連結して成り、内部をポンプにより循環熱媒体が循環するよう設けられた循環路３３と、循環路３３の内部を循環する循環熱媒体とを有している。循環熱媒体は、水から成る。これにより、第１冷却コイル２７は、加温コイル１５で冷却された後の循環熱媒体がチューブ内部を循環することにより、フィンで連結されたチューブ外側のコイル額縁内を通過する空気を冷却可能になっている。また、加温コイル１５は、第１冷却コイル２７で温められた循環熱媒体がチューブ内部を循環することにより、フィンで連結されたチューブ外側のコイル額縁内を通過する空気を加温するようになっている。
【００２６】
冷却手段１８は、第２冷却コイル２９のチューブと冷凍機とを連結して成り、内部を冷媒が循環するよう設けられた冷却路３４と、冷却路３４の内部を循環する冷媒とを有している。第２冷却コイル２９は、フィンで連結されたチューブ外側のコイル額縁内を通過する空気を、チューブ内を流れる冷凍機で冷却された冷媒と熱交換することで、冷却するようになっている。これにより、第２冷却コイル２９は、冷却路３４を流れる冷媒により、フィンで連結されたチューブ外側のコイル額縁内を通過する空気を第１冷却コイル２７より低い温度まで冷却するようになっている。
【００２７】
温度計１９は、ケーシング１１の内部の、第１金属製フィルタ２８の下流、第２金属製フィルタ３０の下流、および加温コイル１５の下流に設けられている。温度計１９は、第１冷却コイル２７と第１金属製フィルタ２８とを通過した空気、さらに第２冷却コイル２９と第２金属製フィルタ３０とを通過した空気、および加温コイル１５を通過した空気の温度を測定するようになっている。
【００２８】
なお、第１冷却コイル２７、加温コイル１５および循環路３３は、ランアラウンド回路の一部を構成している。このランアラウンド回路は、気化した可塑剤を含む空気とチューブ内を流れる冷えた循環熱媒体とを熱交換する第１冷却コイル２７と、可塑剤を遠心分離した後の空気とチューブ内を流れる温まった循環熱媒体とを熱交換する加温コイル１５と、第１冷却コイル２７と加温コイル１５とを連結して成り循環熱媒体が循環するよう設けられた循環路３３と、循環熱媒体と、循環用のポンプとから構成されている。ランアラウンド回路は、循環熱媒体が第１冷却コイル２７と加温コイル１５とを連結した循環路３３をポンプにより循環しているだけであるが、循環路３３の近傍に配置された第２冷却コイル２９の冷熱を熱源として、循環熱媒体により第１冷却コイル２７で冷却を行い、そのときの冷熱を加温コイル１５で熱回収して空気の加温を行うようになっている。
【００２９】
本発明の実施の形態の可塑剤回収方法は、本発明の実施の形態の可塑剤回収システム１０により実施される。まず、気化した可塑剤を含む空気を、供給管２１からケーシング１１の内部に供給する。循環手段１７および冷却手段１８を利用して、第１冷却コイル２７および第２冷却コイル２９により、それぞれ通過する空気を冷却して可塑剤を凝縮させる。第２冷却コイル２９では、第１冷却コイル２７より低い温度まで空気を冷却させる。可塑剤を含む空気を冷却することにより、飽和蒸気圧を低下させて可塑剤の凝縮を促進させることができる。
【００３０】
空気が冷却部１２を通過するとき、第１金属製フィルタ２８および第２金属製フィルタ３０に、それぞれ凝縮した可塑剤が付着し、第１金属製フィルタ２８および第２金属製フィルタ３０の皿状の枠や、ケーシング１１に落ちて可塑剤を回収することができる。第１金属製フィルタ２８および第２金属製フィルタ３０は、輻射効率が高いため、第１金属製フィルタ２８および第２金属製フィルタ３０からの輻射により、空気の冷却効率をより高めることができる。
【００３１】
冷却部１２を通過して冷却された空気をターボファン３１で吸い込んで回転させ、凝縮した可塑剤を含む空気から可塑剤を遠心分離して、分離遮り板３２に向かって吹き出す。これにより、可塑剤を分離遮り板３２に遮り効果で分離付着させて回収することができる。可塑剤を分離した後の空気は、第１フィルタ１４を通過する。これにより、空気中に残存する凝縮した可塑剤が第１フィルタ１４に付着し、可塑剤をさらに回収することができる。第１フィルタ１４を通過した空気は、加温コイル１５により加温される。加温コイル１５で加温された空気は、第２フィルタ１６を通過する。これにより、空気中に残存する凝縮した可塑剤が第２フィルタ１６に付着し、可塑剤をさらに回収することができる。第２フィルタ１６を通過した空気は、排気管２５から排気される。
【００３２】
可塑剤回収システム１０では、循環手段１７により第１冷却コイル２７のチューブ内部と加温コイル１５のチューブ内部とに循環熱媒体を循環させ、加温コイル１５で冷却された後の循環熱媒体により、第１冷却コイル２７のフィンで連結されたチューブ外側のコイル額縁内を通過する空気を冷却し、第１冷却コイル２７で温められた後の循環熱媒体により、加温コイル１５のフィンで連結されたチューブ外側のコイル額縁内を通過する空気を加温する。これにより、高温の気化した可塑剤を含む空気を、冷凍機で冷凍する媒体を用いて冷却する際に、熱回収を行うことで熱効率を高めることができ、運転コストを低減することができる。
【００３３】
可塑剤回収システム１０では、第１金属製フィルタ２８、第２金属製フィルタ３０、分離遮り板３２、第１フィルタ１４および第２フィルタ１６に付着して分離された可塑剤を、ケーシング１１で受けて、回収孔２６から回収することができる。これにより、回収した可塑剤を再処理し、再利用することができる。可塑剤の沸点は高温であり、常温近傍で冷却することができるため、燃焼装置を使用して燃焼させるのに比べ、装置の製造費や運転費を抑えることができ、低コストである。また、市販の安価なターボファン３１を利用することにより、コストをより低減することができる。
【００３４】
温度が低いほど飽和蒸気圧が下がるため、冷却部１２で可塑剤を含む空気をできるだけ低温に冷却することにより、可塑剤の回収率を高めることができる。可塑剤を回収することにより、排気の清浄度を高めることができ、排気系統の破損や、河川や土壌の汚染等を防止することができる。
ケーシング１１の各構成部材は、下流側の筒体の上流端部が上流側の筒体の下流端部の外面に重なるよう接続してあるため、各構成部材の連結部で空気がケーシング１１の外部に漏れにくい。また、可塑剤が、各構成部材を気密的に連結するパッキング剤やコーキング材に直接触れないため、パッキング剤やコーキング材が可塑剤により溶出するのを防ぎ、パッキング剤やコーキング材の寿命を延ばすことができる。
【００３５】
温度計１９により、循環手段１７による空気の冷却効果および加温効果、冷却手段１８による冷却効果を把握することができる。なお、温度計１９の測定結果に基づいて、循環手段１７の循環熱媒体の温度や冷却手段１８の冷媒の温度を調整可能になっていてもよい。この場合、空気の温度を調整して、可塑剤の回収率や、排気管２５への可塑剤の付着防止効果を高めることができる。
【実施例１】
【００３６】
以下に、本発明の実施の形態の可塑剤回収システム１０を用いた可塑剤回収方法の一例について説明する。
３２ｍｇ／ｍ3の濃度でフタル酸ブチルベンジルを含む７５℃の空気から、フタル酸ブチルベンジルの回収を行った。冷却手段１８で冷却路３４に流す冷媒の第２冷却コイル２９の入口温度を７℃とすると、第２冷却コイル２９の出口の冷却路３４を流れる冷媒の温度は２５℃であり、循環手段１７で第１冷却コイル２７に流す循環熱媒体の、第１冷却コイル２７の入口温度は２５℃であった。
【００３７】
このとき、温度計１９により測定された、第１金属製フィルタ２８を通過したときの空気の温度は４２℃、第２金属製フィルタ３０を通過したときの空気の温度は２０℃、加温コイル１５を通過したときの空気の温度は３８℃であった。また、排気の温度は３８℃であった。第１冷却コイル２７のチューブ内部を循環した後の循環手段１７の循環熱媒体の温度は６０℃、加温コイル１５の内部を循環した後の循環手段１７の循環熱媒体の温度は２５℃であった。排気中のフタル酸ブチルベンジルの濃度は、3.2ｍｇ／ｍ3であった。
【００３８】
このように、空気を２０℃まで冷却させることにより、空気に含まれるフタル酸ブチルベンジルの濃度を１０分の１まで低下させることができ、フタル酸ブチルベンジルを約９０％回収することができた。回収されたフタル酸ブチルベンジルを再処理することにより、フタル酸ブチルベンジルを再利用することができる。フタル酸ブチルベンジルを回収することにより、排気の清浄度を高めることができ、フタル酸ブチルベンジルによる排気系統の破損や、河川や土壌の汚染等を防止することができる。
【００３９】
フタル酸ブチルベンジルの沸点が３７０℃と高温であり、常温近傍で冷却させることができるため、燃焼装置を使用して燃焼させるのに比べ、装置の製造費や運転費を抑えることができ、低コストである。実際に、燃焼装置を使用する場合に比べ、１０％以下のコストでフタル酸ブチルベンジルを回収することができた。
【図面の簡単な説明】
【００４０】
【図１】本発明の実施の形態の可塑剤回収システムおよび可塑剤回収方法を示す概略側面図である。
【符号の説明】
【００４１】
１０  可塑剤回収システム
１１  ケーシング
１２  冷却部
１３  遠心分離機
１４  第１フィルタ
１５  加温コイル
１６  第２フィルタ
１７  循環手段
１８  冷却手段
２１  供給管
２２  冷却部筒体
２３  分離部筒体
２４  加温部筒体
２５  排気管
２６  回収孔
２７  第１冷却コイル
２８  第１金属製フィルタ
２９  第２冷却コイル
３０  第２金属製フィルタ
３１  ターボファン
３２  分離遮り板
３３  循環路
３４  冷却路
【図１】
2010017640.tif 000003